【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
複数の色が配置されるカラーコンパスであって、
列状に色を有する色領域が、色相順に並んだ状態で、複数配置される清色スケールを有し、
前記清色スケールの前記色領域の各々には、
前記色相における純色に対して白を含む明清色が配置される明清色域と、
前記純色が配置される純色域と、
前記色相における前記純色に対して黒を含む暗清色が配置される暗清色域が、
一方から多方に向かって配置されていることを特徴とする
カラーコンパス。
【請求項２】
複数の前記色領域は半径方向に伸びて放射状に配置され、
前記明清色域、前記純色域、及び前記暗清色域が、半径方向の内側から外側、又は外側から内側に向かって並んでいることを特徴とする
請求項１に記載のカラーコンパス。
【請求項３】
複数の前記色領域の間において、
前記明清色域、前記純色域、前記暗清色域の半径方向の位置が互いに一致していることを特徴とする
請求項２に記載のカラーコンパス。
【請求項４】
前記明清色域は、前記純色に対する白の含有量の違いにより多段階に区分けされており、
前記暗清色域は、前記純色に対する黒の含有量の違いにより多段階に区分けされていることを特徴とする
請求項１乃至３のいずれかに記載のカラーコンパス。
【請求項５】
特定の前記色領域と、前記特定の前記色領域の両側に隣接する前記色領域の間には、それぞれ、補助色領域が配置されていることを特徴とする
請求項１乃至４のいずれかに記載のカラーコンパス。
【請求項６】
前記特定の前記色領域の色相は赤に設定されており、
前記補助色領域の一方の色相は、黄色がかった赤であり、
前記補助色領域の他方の色相は、青色がかった赤であることを特徴とする
請求項５に記載のカラーコンパス。
【請求項７】
複数の前記色領域に対して、黄色を含有することを意味する表示領域と、黄色を含有しないことを意味する表示領域を備えることを特徴とする
請求項１乃至６のいずれかに記載のカラーコンパス。
【請求項８】
前記清色スケールに加えて、濁色スケールを備えており、
前記濁色スケールは、列状に濁色を有する濁色領域が、色相順に並んだ状態で複数配置され、
前記濁色スケールの前記濁色領域は、
前記色相における各純色に対して明るい灰色を含む明濁色が配置される明濁色域と、
前記色相における各純色に対して暗い灰色を含む暗濁色が配置される暗濁色域と、
を有することを特徴とする
請求項１乃至７のいずれかに記載のカラーコンパス。
【請求項９】
前記清色スケールと前記濁色スケールが、共通の板面上に重畳した状態で配置される
ことを特徴とする
請求項８に記載のカラーコンパス。
【請求項１０】
前記清色スケールと前記濁色スケールが、共通の板面上に重畳した状態で配置される場所に、色名又は色記号が表示されることを特徴とする
請求項９に記載のカラーコンパス。
【請求項１１】
前記清色スケールの前記色領域の上側を覆うように配置される加色フィルターを備え、
前記加色フィルターは、
前記色領域に対して特定の色を重色させた視認状態を生成することを特徴とする
請求項１乃至１０のいずれかに記載のカラーコンパス。
【請求項１２】
前記清色スケールに加えて、比較スケールを備えており、
前記比較スケールには、一方から他方までの距離がマンセル明度値に相当する明度目盛が、色相順に並んだ状態で複数配置され、
純色が、前記比較スケールの前記マンセル明度値に合った場所に配置されていることを特徴とする
請求項１乃至１１のいずれかに記載のカラーコンパス。
【請求項１３】
計算機によって実行されて、複数の色が配置されるカラーコンパスをディスプレイ上に表示させるカラーコンパス用プログラムであって、
前記計算機のＣＰＵで実行されることにより、該計算機の記憶装置に記憶される前記カラーコンパスのデータを前記ディスプレイ上に画像として生成するものであり、
前記ディスプレイに表示される前記カラーコンパスは、列状に色を有する色領域が、色相順に並んだ状態で放射状又は平行状に複数配置される清色スケールを有しており、
前記清色スケールの前記色領域の各々には、
前記色相における純色に対して白のみを含む明清色が配置される明清色域と、
前記純色が配置される純色域と、
前記純色に対して黒のみを含む暗清色が配置される暗清色域が、
一方から多方に向かって配置されていることを特徴とする
カラーコンパス用プログラム。
【請求項１４】
特定の前記色領域と、前記特定の前記色領域の両側に隣接する前記色領域の間には、それぞれ、補助色領域が配置されていることを特徴とする
請求項１３に記載のカラーコンパス用プログラム。
【請求項１５】
前記清色スケール上の特定場所にポインタがセットされた際に、少なくとも前記特定場所に対応するトーン名、色名及び色記号のいずれかを、ディスプレイ上に表示させることを特徴とする
請求項１３又は１４に記載のカラーコンパス用プログラム。
【請求項１６】
前記清色スケールに加えて、濁色スケールを備えており、
前記濁色スケールは、列状に濁色を有する濁色領域が、色相順に並んだ状態で複数配置され、
前記濁色スケールの前記濁色領域は、
前記色相における各純色に対して明るい灰色を含む明濁色が配置される明濁色域と、
前記色相における各純色に対して暗い灰色を含む暗濁色が配置される暗濁色域と、
を有することを特徴とする
請求項１３乃至１５のいずれかに記載のカラーコンパス用プログラム。
【請求項１７】
前記清色スケールには、
中庸肌色を基準として白みと黄みを含有した肌色を表示する第一カテゴリー領域と、
中庸肌色を基準として黄みと黒みを含有した肌色を表示する第二カテゴリー領域と、
中庸肌色を基準として黒みと赤みを含有した肌色を表示する第三カテゴリー領域と、
中庸肌色を基準として赤みと白みを含有した肌色を表示する第四カテゴリー領域とが、一方から他方に向かってこの順に配列されていることを特徴とする
請求項１乃至１２のいずれかに記載のカラーコンパス。
【請求項１８】
前記第一乃至第四カテゴリー領域が、周方向に配列されることを特徴とする、
請求項１７に記載のカラーコンパス。
【請求項１９】
前記第一カテゴリー領域内には、白みと黄みの含有比率として、白みの含有を主とする一方側の肌色表示から、黄みの含有を主とする他方側の肌色表示まで諧調表示されており、
前記第二カテゴリー領域内には、黄みと黒みの含有比率として、黄みの含有を主とする一方側の肌色表示から、黒みの含有を主とする他方側の肌色表示まで諧調表示されており、
前記第三カテゴリー領域内には、黒みと赤みの含有比率として、黒みの含有を主とする一方側の肌色表示から、赤みの含有を主とする他方側の肌色表示まで諧調表示されており、
前記第四カテゴリー領域内には、赤みと白みの含有比率として、赤みの含有を主とする一方側の肌色表示から、白みの含有を主とする他方側の肌色表示まで諧調表示されることを特徴とする、
請求項１７又は１８に記載のカラーコンパス。
【請求項２０】
前記第一及び第二カテゴリー領域の周囲には、赤から黄色を経て青緑までの色相範囲の中から選択される前記色領域が配置され、
前記第三及び第四カテゴリー領域の周囲には、青から紫を経て赤までの色相範囲の中から選択される前記色領域が配置されることを特徴とする、
請求項１７乃至１９のいずれかに記載のカラーコンパス。
【請求項２１】
複数の色が配置される肌色用のカラーコンパスであって、
中庸肌色を基準として白みと黄みを含有した肌色を表示する第一カテゴリー領域と、
中庸肌色を基準として黄みと黒みを含有した肌色を表示する第二カテゴリー領域と、
中庸肌色を基準として黒みと赤みを含有した肌色を表示する第三カテゴリー領域と、
中庸肌色を基準として赤みと白みを含有した肌色を表示する第四カテゴリー領域とが、一方から他方に向かってこの順に配列されていることを特徴とする
カラーコンパス。
【請求項２２】
前記第一乃至第四カテゴリー領域が、周方向に配列されることを特徴とする、
請求項２１に記載のカラーコンパス。
【請求項２３】
前記第一カテゴリー領域内には、白みと黄みの含有比率として、白みの含有を主とする一方側の肌色表示から、黄みの含有を主とする他方側の肌色表示まで諧調表示されており、
前記第二カテゴリー領域内には、黄みと黒みの含有比率として、黄みの含有を主とする一方側の肌色表示から、黒みの含有を主とする他方側の肌色表示まで諧調表示されており、
前記第三カテゴリー領域内には、黒みと赤みの含有比率として、黒みの含有を主とする一方側の肌色表示から、赤みの含有を主とする他方側の肌色表示まで諧調表示されており、
前記第四カテゴリー領域内には、赤みと白みの含有比率として、赤みの含有を主とする一方側の肌色表示から、白みの含有を主とする他方側の肌色表示まで諧調表示されることを特徴とする、
請求項２１又は２２に記載のカラーコンパス。
【請求項２４】
前記第一及び第二カテゴリー領域の周囲には、主として、黄色を含有する色に関連する色領域が色相順に配置され、
前記第三及び第四カテゴリー領域の周囲には、主として、黄色を含有しない色に関連する色領域が色相順に配置されることを特徴とする、
請求項２１乃至２３のいずれかに記載のカラーコンパス。
【請求項２５】
前記第一及び第二カテゴリー領域の周囲には、赤から黄色を経て青緑までの色相範囲の中から選択される色領域が配置され、
前記第三及び第四カテゴリー領域の周囲には、青から紫を経て赤までの色相範囲の中から選択される色領域が配置されることを特徴とする、
請求項２４に記載のカラーコンパス。